(57)【要約】      （修正有）【課題】固定用部材と中空本体のための回転軸を含む、少なくとも１本のワイヤーを固定するための装置を提供する。【解決手段】中空本体４の腔部１５には固定用部材５を受け入れる溝が画定されている。この固定用部材５は円形で、かつ回転自在であり、またワイヤー１７の固定方向に弾性的に付勢される。この固定装置１は、更に解除用部材をも備えている。この解除用部材は、中空本体４から離れた所に位置する把持部分３０を有する。【選択図】図５
0003106517.tif 000002
【実用新案登録請求の範囲】
【請求項１】
少なくとも１本のワイヤー（１７、１０２）に作用し、とりわけ固定用部材（５、５２、７０）のための回転軸（１１、６３）を含み、また同じく中空本体（４、５１、９１）を含み、前記中空本体の腔部（１５）は、一方では、各ワイヤー（１７、１０２）の線条部分のための少なくとも一つの通路（１６）を、また他方では、該固定用部材（５、５２、７０）のハウジングを画定し、前記固定用部材（５、５２、７０）は円形で、かつそれ自体並進移動可能な軸（１１、６３）を中心として回転自在である、ひもの固定装置（１、５０、９０）であって、
該固定装置（１、５０、９０）は固定用部材（５、５２、７０）が挟持効果により各ワイヤー（１７、１０２）の線条部分を固定するため各通路と共働することにより作用し、前記固定用部材（５、５２、７０）は前記回転軸（１１、６３）に対する作用によって１または複数本のワイヤー（１７、１０２）の線条部分を固定する方向に弾性的に付勢され、更に前記固定装置（１、５０、９０）は前記固定用部材（５、５２、７０）の解除用部材を含むものにおいて、
前記解除用部材が、中空本体（４、５１、９１）から離れた所に位置する把持部分（３０、６０、８０、１００）を含むことを特徴とする固定装置。
【請求項２】
把持部分が把手（３０、６０、８０）であり、解除用部材が把手（３０、６０、８０）と柄部（３１、６１、８１）とを含むことを特徴とする請求項１に記載の固定装置（１、５０）。
【請求項３】
前記把手（３０、８０）と、柄部（３１、８１）と、輪部（５、７０）とが単一成形体を形成することを特徴とする請求項２に記載の固定装置（１）。
【請求項４】
前記輪部（５、７０）および柄部（３１、８１）が同一面内にあることを特徴とする請求項２または３に記載の固定装置（１）。
【請求項５】
把手（３０）が柄部（３１）から突き出ていることを特徴とする請求項２、３または４に記載の固定装置（１）。
【請求項６】
把手（８０）に開口（８２）が穿設されていることを特徴とする請求項２、３または４に記載の固定装置（１）。
【請求項７】
柄部（６１）が前記輪部（５２）の回転軸（６３）に回転自在に取り付けられていることを特徴とする請求項２に記載の固定装置（５０）。
【請求項８】
前記柄部（３１、６１、８１）と前記中空の本体（４）の側面（２１）間の距離がワイヤー（１７）の線条部分の厚さよりかなり大きいことを特徴とする請求項２〜７のいずれか一項に記載の固定装置（１、５０）。
【請求項９】
前記把持部分が把手（１００）であり、前記解除用部材が前記把手（１００）とカーソル（９２）とを含み、かつ前記把手（１００）が前記カーソル（９２）にしっかり固定されていることを特徴とする請求項１に記載の固定装置（１）。
【請求項１０】
固定装置の各構成要素がプラスチック材料で造られていることを特徴とする請求項１〜９のいずれか一項に記載の固定装置（１、５０）。
【考案の詳細な説明】
【技術分野】
【０００１】
本考案はケーブル、ロープ、ワイヤー、ひも類、あるいは、同様の外観を有する柔軟な線条部分からなる他の製品を固定するための機械的装置に関する。
【０００２】
より詳しく述べるならば、本考案は靴ひもの固定に関するものである。
【０００３】
更に特定的に言えば、本考案はスポーツの分野、とりわけスノーサーフィン（スノーボード）用の靴、ゲレンデスキー用の靴、距離スキー用の靴、サイクリング用の靴、山スキー用の靴、歩行用の靴、等々に関する。
【背景技術】
【０００４】
固定装置を用いて、柔軟な線条部材を固定することは知られている。
【０００５】
例えば、フランス特許第２，７０６，７４３号公報には、少なくとも１本のワイヤーに作用する固定装置が開示されている。この特許文献によると、該装置は固定用部材の回転軸を画成する押し棒（タペット）ならびに中空本体を含み、中空本体の腔部は各ワイヤーの線条部分を通す少なくとも１の通路と、固定用部材の収納部とを定めている。この固定用部材の収納部は円形をしており、かつそれ自体並進移動可能な軸を中心として回転自在となっている。
【０００６】
上記フランス特許第２，７０６，７４３号公報に記載の装置は、固定用部材が各ワイヤーの線条部分を固定するため挟持効果により各通路と共働して作動する。この固定用部材は、その回転軸に対する作用により、１または複数本のワイヤー線条部分を固定する方向に弾性的に付勢される。
【０００７】
したがって、弾性的に付勢されてはいるが、該固定用部材は回転自在の状態にあり、かつ、２のワイヤーの線条部分に対して加えられる応力に相違がある場合でも、両者間に加えられる張力を釣り合わせることができる。それゆえ、このワイヤー固定は常に実現される。
【０００８】
逆の操作、つまり固定解除の操作は、弾性的な付勢に抗してタペット（押し棒）を手動で作用させることにより行われれる。
【０００９】
しかしながら、この固定解除の操作は常に、必ずしも容易ではないように思われる。
【００１０】
確かに、密度のことを気に掛けなければ、タペットは中空本体に対して密着した状態にある。これにより、該固定装置の使用者は、ひもを解きたいと望むときに、タペットを移動させると同時に該中空本体を維持した状態にしておかなくてはならない。この押し棒の移動に伴う本体の維持は、比較的困難な操作である。この操作は該装置の寸法が小さくなれば成るほど益々難しくなる。
【００１１】
その上、該固定装置は、しばしば、接近が難しい箇所に収容され、かつ容積も小さい。このことは、例えば、フラップを備えた靴の分野におけるある種の応用の場合であり、この場合、該固定装置はフラップの間にある空間に場所を占める。その結果、固定装置への接近可能性が減少し、タペットを作動させることが困難になる。
【００１２】
最後に、使用者が手袋を嵌めたとき、この手袋が固定装置の操作を妨げるので、ひもの解除が更に難しくなる。
【００１３】
以上に列記した要因の各々は、全て解除操作を妨げる原因となる。
【００１４】
それゆえ、本考案の目的の一つは、弾性的に付勢される円形の固定用部材を備えた装置において、解除操作を容易にすることにある。
【００１５】
この目的を達成するために、本考案は以下の「ひも固定装置」を提案する。すなわち、少なくとも１本のワイヤーに作用し、とりわけ固定用部材のための回転軸を含み、また同じく中空本体を含み、前記中空本体の腔部は、一方では、各ワイヤーの線条部分のための少なくとも１の通路を、また他方では、該固定用部材のハウジングを画定し、この固定用部材は円形で、かつそれ自体並進移動可能な軸を中心として回動自在である靴ひもの固定装置において、該固定装置は固定用部材が挟持効果により各ワイヤーの線条部分の通路と共働することによって作動し、その際、前記固定用部材は前記回転軸に対する作用によって１または複数本のワイヤーの線条部分を固定する方向に弾性的に付勢され、更に前記固定用部材の解除用部材を含む固定装置である。
【００１６】
本考案によるこの固定装置は、その解除用部材が、中空本体から離れた所に位置する把持部分を含むことを特徴とするものである。
【００１７】
把持部分は中空本体から突き出た突出部を成す。それゆえ、この部分は容易に掴んで作動させることができる。その結果、中空本体を保持する必要なしに解除応力を加えることができる。それによって生ずる利点は該装置の固定用部材を解除することが非常に容易となる。
【００１８】
本考案のその他の特徴および利点は、本考案がどのようにして実現できるかを示す非限定的な実施態様を示す添付の図面を参照して、以下に述べる詳細な説明を読むことによってより良く理解できよう。
【００１９】
以下に述べる諸実施態様は、主としてスノーボードの分野に属するものであるが、先述したような他の分野にも当てはまるものと理解すべきである。
【００２０】
本考案の第一実施態様を図１ないし図８を参照して説明する。
【００２１】
図１は、スノーボード用の靴２に応用した、紐３を固定するための紐固定具１を示す。
【００２２】
図２でより明確に示すように、固定具１は本体４と、円形の固定用部材５と、本体４の外側に位置し、かつ該固定用部材５を操作するため該部材に連結したカーソル６の３部品から成る。
【００２３】
この固定用部材５は、周囲に歯７を備えた輪部で構成するのが好ましい。
【００２４】
輪部５の中心には、カーソルの軸１１のラチェット嵌合による受入れ用の目１０を画定する層状体に一線整列させた孔８が開けられ、この孔が輪部５の回転軸となる。
【００２５】
この軸１１は円形で、かつカーソルから直接出ており、輪部５と連結するための突出側面１２を有する。
【００２６】
この突出側面には、その長さ部分に亙って軸方向のスリットが形成されるとともに、輪部５を受け入れるための受入用周辺喉部１４が削設されている。
【００２７】
この突出側面の端部は裁頭円錐台状をしている。
【００２８】
このような構造により、輪部５を軸１１にラチェット嵌合させて組み付けることが可能となる。
【００２９】
図５に示すような本体４は、歯付きの輪部５を収容するための腔部１５を内部に有し、また後程分かるように、ワイヤー１７の線条部分を通過させるとともに挟持するための２の通路１６を画成する。
【００３０】
本体４内に固定具４を組み立てるには、該本体の軸の一端に設けた開口部１８を通過させることにより、該本体４の腔部１５の内側に輪部５を配置するとともに、該本体４の長手軸方向に沿って上面１９に配置したスロット２０を介して該本体４のこの上面１９の壁部を貫通させることにより、輪部５の目１０内に該軸１１を介してカーソルをラチェット嵌合させる。
【００３１】
このようにして取り付けられたカーソル６は、スリット２０内で、かつ本体４の長手方向に、例えば図３および図４に示す矢印ＬあるいはＳに沿って、上記本体４に対し並進移動が可能である。
【００３２】
輪部５の喉部１４と孔８の寸法は、この輪部５が軸１１を中心として回転自在に取り付けられるよう予め決められている。
【００３３】
図５、図６、図７および図８は、通路１６ならびに固定用部材（すなわち輪部５）と該通路との共働状態をより特定的に示すものである。
【００３４】
該通路１６は、本体４の２の側面２１の各々に沿って、腔部１５内に位置し、かつ細縞２２としての機能を有する。
【００３５】
複数本のワイヤーを受け入れるために、この通路１６は、図８に示すように、その横断面形状が丸みを付けた喉部の形状、あるいは直線的な形状２３であってもよい。
【００３６】
図５および図６で示すように、該通路１６はほぼ直線状であって、その方向は平行ではなく、固定具１の対称軸２４に対して交差するよう矢印Ｓの方向に収斂している。
【００３７】
このカーソル６の端部位置の態様については２通りある。すなわち、一方は紐３の固定に対応する位置であり、もう一方はこの紐３の解除に対応する位置である。
【００３８】
固定位置は、とりわけ図１、図３、図５、図７および図８に示す通りである。
【００３９】
図５に示すように、固定位置において、矢印方向Ｓに常時付勢されている輪部５は、本体４の通路１６の底部に対してワイヤー１７の線条部分を押しつけることにより、該線条部分を緊縛する。
【００４０】
したがって、ワイヤー１７の線条部分の固定は、通路１６と輪部５との共働による挟持効果で実現される。
【００４１】
挟持効果による固定で得られる利点は、輪部５によってワイヤー１７の線条部分を緊縛する値が該線条部分に加わる引張応力に比例し、かつこの引張応力からのみ生じるということである。
【００４２】
輪部５が軸１１を中心として回転自在であるということに関連するもう一つの利点は、ワイヤー１７の２の線条部分に掛かる引張応力Ｆ１，Ｆ２における違いが紐固定システムの挟持効果をもたらさない（すなわち、該固定用部材５に対して線条部分の一方が相対的な滑動を引き起こさない）ということである。
【００４３】
とりわけ、図２、図３、図４および図７に示す弾性手段もまた、紐固定具１に組み込まれている。この弾性手段は、好ましいとされる実施の態様にしたがって、各種の異なる形状を取ることができる。
【００４４】
この弾性手段はカーソル６の中央からＶ字状に延びる２の弾性小舌状部材２５を備え、その両自由端は、図３に示す固定方向５に該カーソル６を付勢するため本体４の縁取り部により形成されたヒール部２６に支承される。もちろん、この小舌状部材２５も異なる形状を有することができる。
【００４５】
それゆえ、これらの小舌状部材２５もまた、カーソル６と一体の軸１１を介して、該固定方向Ｓに沿って輪部５を付勢する。
【００４６】
このようにして、固定用部材５は、その回転軸１１を介して、ワイヤー１７の固定方向に沿って弾性的に付勢される。
【００４７】
本考案の好ましい一実施態様によれば、軸１１と、カーソル６と、小舌状部材２５とで、単一の要素を形成する。
【００４８】
上記の部品とその作用は、該固定用部材５に対して外側から作用を及ぼす必要なしに、精密かつ直接的にワイヤー固定を行うという利点を得る。
【００４９】
補足すると、とりわけ図７および図８に示すように、本体４は、固定に際して、本体４の人間工学的なグリップを容易にするための腔部２７、２８を、その上面と下面に有する。
【００５０】
この本体４の腔部２７、２８の押し型は、各々、矢印Ｓの方向に応力を及ぼすよう方向づけられた指の方向にほぼ対応する。
【００５１】
それゆえ、使用者にとっては、一方の手で紐３を引っ張り、また他方の手で固定具１を押さえて、所望の固定位置まで紐に沿って移動させることがより容易となる。
【００５２】
一旦、この固定位置に到達すれば、あとは固定具１を緩めるだけでよく、所望の緊縛を得るためにカーソルに対して他の如何なる動作を及ぼす必要もない。小舌状部材２５により付勢される輪部５は所望の挟持効果を自動的に発揮する。
【００５３】
得られる利点は、固定操作がより容易になることである。
【００５４】
本考案は、とりわけ、解除操作をも容易とすることにある。この目的のために、本考案による紐の固定具１は、中空本体４から離れたところに位置する把持部分を含む解除用部材を備えている。この把持部分により、固定具の本体に到達する必要なしに解除用部材を捕捉することができる。
【００５５】
本考案の第一実施態様によれば、把持部分は、図２で分かるように把手３０である。この把手は柄部３１に固定されており、柄部自体は固定用部材（すなわち、輪部）５に固定されている。それゆえ、この解除用部材は把手３０と柄部３１とから成る。
【００５６】
把手３０、柄部３１、および輪部５は、例えばプラスチック材料から成る単一成形体で構成するのが好ましい。単一成形体とする利点は、製作が単純化されること、ならびに製作費が低廉になることである。しかしながら、これら構成部品の少なくとも一部分を別個の部品として製作し、後で組み立てるようにしてもよい。また、製作に当たっては、プラスチック以外の他の材料を考えてもよい。
【００５７】
本考案の第一実施態様によれば、輪部５と柄部３１はほぼ同じ厚さを有し、これら両部材は同一面内に含まれる。これにより、図７で分かるように、輪部５と柄部３１は、腔部１５内で滑り弁のように単一成形部材として移動させることができる。もう一つの利点は、該部品の誘導の質が良くなるということである。
【００５８】
把手３０自体は、例えば、柄部３１の両側で、互いに相対する２のボス部３２、３３を介して突き出ている。これにより柄部の把持を容易にすることができる。とりわけ、該柄部を引くためには大きな力を必要とせずに操作することができる。もちろん、把手３０は柄部の一側のみから突き出るようにしてもよく、更にはほぼ同じ厚さを有してもよい。
【００５９】
把手３０の操作は、柄部３１が該把手を中空本体４から距離をおいて保持すればする程で益々容易となる。実際、把手のみに触れることによって把持を行うためには、中空本体４と把手３０との間に十分な広がりをもった空間するのが好ましい。このことは、当然の結果として、たとえ中空本体を保持することにより把手３０を操作できるとしても、この把手を操作するためには中空本体４を維持する必要がないということを意味する。
【００６０】
この構造に由来する利点は、固定具１を靴に用いる場合でも、解除用部材への到達がより良好になるということである。実際、図１から分かるように、固定具１が内靴３６の側方フラップ３４と中間フラップ３５の間に頻繁に挿入される。この内靴自体は外被３７で覆われているので、固定具１もまた小舌状部材３８で覆われるとともに、外被３７の側方フラップ３９と中間フラップ４０によって取り囲まれる。該把手３０が現れることにより、あるいは、少なくとも該把手３０へ接近できるようになることにより、輪部５を解除するため引っ張ることが更に容易となる。
【００６１】
矢印Ｌの方向に把手３０を引っ張ると、図４および図６に示す位置に輪部５を移動させる。この引張作用は、小舌状部材２５から成る弾性手段の作用に反して行われる。引張応力あるいは解除応力が十分であれば、輪部５はワイヤー１６の通路とワイヤー１７の線条部分から引き離される。輪部５は通路１６の方向を収斂点から遠ざける。挟持効果はもはや生じることはなく、解除が行われる。このようにして、固定具１とワイヤー１７の線条部分は互いに滑動することができる。輪部５が軸１１によって中空本体４に連結されているので、この滑動は把手３０に対する引張と同時に行われる。それゆえ、固定具１の構造は、解除方向に該固定用部材（すなわち、輪部）５を直接付勢することができる。解除応力が直接伝達されるので、この解除に関する効率は最大となる。これにより生じる利点は、僅かな引張応力で十分な解除を行うことができることである。
【００６２】
輪部５を解除するための引張応力は、固定具の対称軸２４に沿って、あるいはずらした軸に沿って行ってもよい。実際、柄部３１は輪部５に対して制限されてはいるが、固定の瞬間にワイヤー１７の線条部分に支承されることによって回転するため十分な自由度を残してある。輪部５のこの回転の自由は、柄部３１の存在にも拘わらず保存される。なぜならば、柄部と各側面２１間の距離は、ワイヤー１７の線条部分の厚みよりも大だからである。
【００６３】
本考案のその他の実施態様は後に記載する通りである。便宜上、第一実施態様と比較して顕著な相違点のみを浮き彫りにする。
【００６４】
図９を参照して、第二実施態様を説明する。
【００６５】
この実施態様によれば、固定具５０は中空本体５１と、輪部５２の形で表される固定用部材と、カーソル５３とから成る。これらの部材は、上記した第一実施態様の固定具に似た作動をするように組み立てられる。
【００６６】
本考案によると、解除用部材は中空本体５１から離れたところにある把持部分を含む。
【００６７】
この把持部分は把手６０の形で表され、この把手は柄部６１に固定されている。したがって、解除用部材は把手６０と柄部６１とを含む。
【００６８】
把手６０を収容する端部の反対側にある柄部６１の結合端には孔６２が穿設されている。これにより、柄部６１と輪部５２は、カーソル５３から出ている同一軸６３に対して回転自在に取り付けられる。その結果、把手６０を中空本体５１から遠ざかる方向に引っ張ると、解除方向に輪部５２を付勢する。更に、軸６３が輪部５２と柄部６１に共通であるので、この付勢は直接的である。柄部６１と輪部５２の分離により、輪部は完全に回転自在となる。この分離から生ずる利点は、該輪部５２の歯の磨耗が輪部の周全体に亙って分散されることである。
【００６９】
本考案の第三実施態様を図１０に示す。
【００７０】
この実施態様によれば、固定具は輪部７０を備えている。
【００７１】
本考案によれば、解除用部材は中空本体から離れた所にある把持部分を含む。
【００７２】
この把持部分は把手８０を含み、この把手は柄部８１に固定される。更に、解除用部材は把手８０と柄部８１とからなる。輪部７０、把手８０および柄部８１で単一成形体を構成する。
【００７３】
この第三実施態様において、把手８０には開口部が穿設されている。この開口部は指を通すには十分に大きいので、指を曲げてこの開口部に引っ掛けることが可能である。
【００７４】
本考案の第四実施態様を図１１に示す。
【００７５】
この実施態様によれば、固定具９０は中空本体９１とカーソル９２とを含む。
【００７６】
本考案によれば、解除用部材は中空本体から離れた所に位置する把持部分を含む。
【００７７】
把持部分は把手１００を含み、この把手はカーソル９２に固定されている。したがって、この場合、解除用部材は把手１００とカーソル９２とから成る。なお、該把手１００と、カーソル９２と、小舌状部材１０１とで単一成形体を構成するのが好ましい。
【００７８】
把手１００は、ワイヤー１０２の線条部分が通る方向に、中空本体９１から突き出た半円形の把手のような形をしている。この把手１００はワイヤーが通る平面からずれた位置にある。
【００７９】
一般的に、本考案は、当業者に公知の材料と技術とを使用して実施される。
【００８０】
特に、各構成要素をプラスチック材料で製作するのが好ましい。
【００８１】
もちろん、本考案は上述した諸実施態様に限定されるものではなく、冒頭に記載した実用新案登録請求の範囲に入り得る全ての均等物を含む。
【００８２】
特に、解除用部材の把手部分を、ワイヤーの線条部分が通る面にほぼ垂直な方向に、該中空本体から離間するようにしてもよい。例えば、柄部および／または把手部をカーソルに固定して、カーソルから突き出るようにしてもよい。
【図面の簡単な説明】
【００８３】
【図１】本考案の第一実施態様による紐および紐固定具を含む靴の全体を示す前方斜視図である。
【図２】図１の固定具を示す分解斜視図である。
【図３】ワイヤーの挟持位置にある固定具の外部上面図である。
【図４】ワイヤーの解除位置にある、図３と同様の固定具の外部上面図である。
【図５】ワイヤーとワイヤーの線条部分の通路の接触線に沿って見た、ワイヤーの挟持位置にある固定具を示す縦断面図である。
【図６】ワイヤーの解除位置にある固定具を示す図５と同様の縦断面図である。
【図７】図３のVII − VII 線に沿って見た固定具の縦断面図である。
【図８】図７のVIII − VIII 線に沿って見た固定具の横断面図である。
【図９】本考案の第二実施態様による、図２と同様の分解斜視図である。
【図１０】本考案の第三実施態様による、固定具の内部要素を示す斜視図である。
【図１１】本考案の第四実施態様による、固定具の斜視図である。
【符号の説明】
【００８４】
１、５０、９０・・・・・・・・・ひも固定具
４、５１、９１・・・・・・・・・中空本体
５、５２、７０・・・・・・・・・固定用部材（輪部）
１１、６３・・・・・・・・・・・回転軸
１５・・・・・・・・・・・・・・腔部
１６・・・・・・・・・・・・・・通路
１７、１０２・・・・・・・・・・ワイヤーの線条部分
２１・・・・・・・・・・・・・・（中空本体の）側面
３０、６０、８０、１００・・・・把持部分
３１、６１、８１・・・・・・・・柄部
８２・・・・・・・・・・・・・・開口
９２・・・・・・・・・・・・・・カーソル
【図１】
0003106517.tif 000003
【図２】
0003106517.tif 000004
【図３】
0003106517.tif 000005
【図４】
0003106517.tif 000006
【図５】
0003106517.tif 000007
【図６】
0003106517.tif 000008
【図７】
0003106517.tif 000009
【図８】
0003106517.tif 000010
【図９】
0003106517.tif 000011
【図１０】
0003106517.tif 000012
【図１１】
0003106517.tif 000013